(57)【要約】【課題】箔押し画像を形成するための接着性トナーと箔の使用を抑えつつも、箔押し画像に重ねて有色トナー本来の色を生かしたトナー画像の形成が可能な画像形成装置を提供する。【解決手段】トナー画像を形成する画像形成部と、前記画像形成部で形成されたトナー画像のうち接着性トナー画像に対して箔押し印刷を実施する箔押し部と、前記箔押し部において箔押し印刷された用紙に対して、前記画像形成部における追い刷り印刷によるトナー画像の形成を実施するための制御を行なう制御部と、を備えた画像形成装置において、前記制御部は、前記箔押し印刷によって形成する箔押し画像と前記追い刷り印刷によって形成するトナー画像とが重なる部分を、前記箔押し画像から削除した修正箔押し画像データを作成する画像データ修正部と、前記画像データ修正部で作成した修正箔押し画像データに基づいて、前記画像形成部による前記接着性トナー画像の形成を制御する入出力制御部とを有する。【選択図】図３
2018030316.tif 000002
【特許請求の範囲】
【請求項１】
トナー画像を形成する画像形成部と、
前記画像形成部で形成されたトナー画像のうち接着性トナー画像に対して箔押し印刷を実施する箔押し部と、
前記箔押し部において箔押し印刷された用紙に対して、前記画像形成部における追い刷り印刷によるトナー画像の形成を実施するための制御を行なう制御部と、
を備えた画像形成装置において、
前記制御部は、
前記箔押し印刷によって形成する箔押し画像と前記追い刷り印刷によって形成するトナー画像とが重なる部分を、前記箔押し画像から削除した修正箔押し画像データを作成する画像データ修正部と、
前記画像データ修正部で作成した修正箔押し画像データに基づいて、前記画像形成部による前記接着性トナー画像の形成を制御する入出力制御部とを有する
画像形成装置。
【請求項２】
前記画像データ修正部は、
前記箔押し画像と前記トナー画像との位置ずれを考慮して、前記トナー画像に対して前記箔押し画像が重なるデータ保持領域を残して前記修正箔押し画像データを作成する
請求項１に記載の画像形成装置。 
【請求項３】
前記画像データ修正部は、前記追い刷り印刷によって形成するトナー画像において前記データ保持領域と対応する部分を、色補正領域とした修正トナー画像データを作成し、
前記入出力制御部は、前記画像データ修正部で作成した修正トナー画像データに基づいて、前記画像形成部による前記トナー画像の形成を制御する
請求項２に記載の画像形成装置。
【請求項４】
前記トナー画像は、トナー画像データとして入力されたトナー画像と、前記トナー画像に対して設定によって追加されたトナー画像とを含む
請求項１〜３のうちの何れか１項に記載の画像形成装置。
【請求項５】
前記入出力制御部は、複数頁の画像形成に際し、前記画像データ修正部における全頁の前記修正箔押し画像データの作成が終了した後、前記画像形成部による前記接着性トナー画像の形成を開始する
請求項１〜４のうちの何れか１項に記載の画像形成装置。
【請求項６】
前記入出力制御部は、全頁の箔押し印刷が終了した後に前記追い刷り印刷に際してジャムが発生した場合、ジャムが発生した頁番号を取得して次頁の追い刷り印刷を実施し、全頁の追い刷り印刷が終了した後、ジャムが発生した頁の追い刷り印刷とその後の追い刷り印刷とを実施する
請求項５に記載の画像形成装置。 
【請求項７】
前記入出力制御部は、前記箔押し印刷に際してジャムが発生した場合、ジャムが発生した頁番号を取得して次頁の箔押し印刷を実施し、全頁の箔押し印刷が終了した後、前記追い刷り印刷を開始する前にジャムが発生した頁の箔押し印刷を実施する
請求項５または６に記載の画像形成装置。
【請求項８】
前記画像データ修正部で作成した修正箔押し画像データを表示する表示パネルと、
前記画像データ修正部で作成した修正箔押し画像データに基づく画像形成を実施するか否かを入力するための操作部とを備え、
前記入出力制御部は、前記操作部での入力にしたがって前記修正箔押し画像データに基づく画像形成を実施する
請求項１〜７の何れか１項に記載の画像形成装置。
【請求項９】
接着性トナー画像に対する箔押し印刷によって箔押し画像が形成された用紙に対し、追い刷り印刷によるトナー画像の形成を実施する画像形成方法において、
前記箔押し画像と前記トナー画像とが重なる部分を、前記箔押し画像から削除した修正箔押し画像データを作成し、
前記修正箔押し画像データに基づいて、前記接着性トナー画像を形成する
画像形成方法。
【発明の詳細な説明】
【技術分野】
【０００１】
本発明は画像形成装置および画像形成方法に関し、特には箔押し画像と有色トナー画像とを多重印刷するための画像形成装置および画像形成方法に関する。
【背景技術】
【０００２】
画像支持体上に接着性トナー画像を形成してこれに箔を転写することで箔押し画像を形成し、その後さらに有色トナーを用いた追い刷りによってこの画像支持体上に有色トナー画像を形成する画像形成装置および画像形成方法がある。このような画像形成装置および画像形成方法では、例えば箔押し画像が金属光沢を有するものである場合、この箔押し画像に重なる有色トナー画像はメタリックカラーとなる。そこで、金属光沢領域上に光拡散性トナー画像を形成し、この上部に有色トナー画像を形成することにより、金属光沢を有する箔押し画像に重ねて金属光沢を抑えた各色の画像を形成する方法が提案されている（下記特許文献１参照）。
【先行技術文献】
【特許文献】
【０００３】
【特許文献１】特開２０１３−１０９０７５号公報
【発明の概要】
【発明が解決しようとする課題】
【０００４】
しかしながら、上述した画像形成方法では、光拡散性トナー画像を形成した部分において金属光沢を抑えることができるものの、有色トナー画像が重なる部分では、箔と箔押し画像を形成するための接着性トナーを無駄に使用することになる。
【０００５】
そこで本発明は、箔押し画像を形成するための接着性トナーと箔の使用を抑えつつも、箔押し画像に重ねて有色トナー本来の色を生かした有色トナー画像の形成が可能な画像形成装置および画像形成方法を提供することを目的とする。
【課題を解決するための手段】
【０００６】
このような目的を達成するための本発明は、トナー画像を形成する画像形成部と、前記画像形成部で形成されたトナー画像のうち接着性トナー画像に対して箔押し印刷を実施する箔押し部と、前記箔押し部において箔押し印刷された用紙に対して、前記画像形成部における追い刷り印刷によるトナー画像の形成を実施するための制御を行なう制御部と、を備えた画像形成装置において、前記制御部は、前記箔押し印刷によって形成する箔押し画像と前記追い刷り印刷によって形成するトナー画像とが重なる部分を、前記箔押し画像から削除した修正箔押し画像データを作成する画像データ修正部と、前記画像データ修正部で作成した修正箔押し画像データに基づいて、前記画像形成部による前記接着性トナー画像の形成を制御する入出力制御部とを有する。
【０００７】
また本発明は、接着性トナー画像に対する箔押し印刷によって箔押し画像が形成された用紙に対し、追い刷り印刷によるトナー画像の形成を実施する画像形成方法において、前記箔押し画像と前記トナー画像とが重なる部分を、前記箔押し画像から削除した修正箔押し画像データを作成し、前記修正箔押し画像データに基づいて、前記接着性トナー画像を形成する。
【発明の効果】
【０００８】
以上説明したように本発明によれば、箔押し画像を形成するための接着性トナーと箔の使用を抑えつつも、箔押し画像に重ねて有色トナー本来の色を生かしたトナー画像の形成が可能である。
【図面の簡単な説明】
【０００９】
【図１】本発明の各実施形態に係る画像形成装置の全体構成を示す概略図である。
【図２】各実施形態の画像形成装置における制御部のブロック図である。
【図３】第１実施形態の画像形成装置の画像データ修正部において実施される修正箔押し画像データの作成手順を示すフローチャートである。
【図４】第１実施形態における修正箔押し画像データの作成を説明するための図である。
【図５】第１実施形態において作成される修正箔押し画像データの一例を示す図である。
【図６】第１実施形態の修正箔押し画像データを用いて得られる印刷画像の一例を示す図である。
【図７】第２実施形態の画像形成装置の画像データ修正部において実施される修正箔押し画像データの作成手順を示すフローチャートである。
【図８】第２実施形態において作成される修正箔押し画像データの一例を示す図である。
【図９】第２実施形態において作成される修正トナー画像データの一例を示す図である。
【図１０】第３実施形態の画像形成装置において実施される連続画像形成の手順を示すフローチャートである。
【図１１】第３実施形態における連続画像形成を説明するための図である。
【図１２】第４実施形態の画像形成装置において実施される連続画像形成の手順を示すフローチャートである。
【図１３】第４実施形態における連続画像形成を説明するための図である。
【図１４】第５実施形態の画像形成装置において実施される連続画像形成の手順を示すフローチャートである。
【図１５】第５実施形態における連続画像形成を説明するための図である。
【発明を実施するための形態】
【００１０】
先ず、本発明を適用した各実施形態に係る画像形成装置の説明に先立ち、図１を用いて本発明の各実施形態に共通する画像形成装置の概略構成を説明し、次いで各実施形態の特徴的な構成を説明する。なお、各実施形態において同一の構成要素には同一の符号を付し、重複する構成要素の説明は省略する。
【００１１】
≪画像形成装置の概略構成≫
図１は、各実施形態に係る画像形成装置を前面（正面）から見た構成図である。この図に示す画像形成装置１００は、箔押し画像の形成と、その後の有色トナー画像の形成とが可能な装置であり、操作部１０１、画像読取部１０２、制御部１０３、画像形成部１０４、定着部１０５、用紙供給部１０６、箔押し部１０７、後処理部１０８を備えている。これらの各部材の構成は、次のようである。
【００１２】
＜操作部１０１＞
操作部１０１は、この画像形成装置１００を用いて実施される画像形成に関する各種の設定を入力する部分であり、表示パネルおよび操作ボタンが設けられている。操作部１０１による各種の設定については、以降の画像形成方法において説明する。なお、操作ボタンは表示パネルと一体に設けたタッチパネルであってもよい。
【００１３】
＜画像読取部１０２＞
画像読取部１０２は、原稿台を備え、原稿台に載置された原稿の画像を読み取って、画像データを生成する。ここで生成する画像データは、用紙上の位置を示す座標（ｘ、ｙ）と、その座標（ｘ、ｙ）に対する印刷データとで構成される。ここで印刷データとは、画像データが箔押し画像の画像データ（以下、箔押し画像データ［ｄｈ］と記す）であれば、箔押しパターン［ｐｈ］の有無である。また画像データがり、有色トナー画像の画像データ（以下、トナー画像データ［ｄｔ］と記す）であれば、トナーパターン［ｐｔ］の有無と色の種類である。なお、本実施形態において画像データは、画像読取部１０２で生成されるデータに限定されず、画像形成装置１００に接続されたパーソナルコンピュータや他の外部装置から受信した画像データであってもよい。
【００１４】
＜制御部１０３＞
制御部１０３は、操作部１０１での操作、または画像形成装置１００に接続されたパーソナルコンピュータなどの外部装置からの受信信号にしたがって、画像形成装置１００の各部の動作を制御するものである。制御部１０３は、各実施形態において特徴的な制御を実施する構成のものが用いられる。図２には、このような制御部１０３のブロック図を示す。この図に示すように、制御部１０３は、入出力制御部１０３ａ、画像データ修正部１０３ｂ、および記憶部１０３ｃを有する。
【００１５】
［入出力制御部１０３ａ］
入出力制御部１０３ａは、画像形成装置１００を構成する操作部１０１および画像読取部１０２などの各部と、画像データ修正部１０３ｂおよび記憶部１０３ｃと、さらにはパーソナルコンピュータなどの外部装置とに接続されている。この入出力制御部１０３ａは、操作部１０１、画像読取部１０２、および外部装置からの入力に基づいて、画像形成装置１００の各部の駆動を制御する。また、入出力制御部１０３ａは、画像データ修正部１０３ｂに対して画像データの作成、さらには記憶部１０３ｃに対する画像データの記憶を制御する。このような入出力制御部１０３ａによる各部の制御は、以降の各実施形態において詳細に説明する。
【００１６】
［画像データ修正部１０３ｂ］
画像データ修正部１０３ｂは、入出力制御部１０３ａからの指示により、操作部１０１および画像読取部１０２からの入力に基づいて、入力されたオリジナルの画像データを修正した修正画像データを作成する。ここで作成する修正画像データの詳細、および修正画像データの作成手順は、以降の各実施形態において詳細に説明する。
【００１７】
［記憶部１０３ｃ］
記憶部１０３ｃは、入出力制御部１０３ａからの指示により、画像読取部１０２および画像形成装置１００に接続されたパーソナルコンピュータや他の外部装置から受信したオリジナルの画像データを記憶する。また記憶部１０３ｃは、入出力制御部１０３ａからの指示により、画像データ修正部１０３ｂにおいて作成した修正画像データを記憶する。
【００１８】
以上のような各構成要素を備えた制御部１０３は、計算機によって構成されている。計算機は、いわゆるコンピュータとして用いられるハードウェアである。計算機は、ＣＰＵ（Central rocessing Unit：中央処理装置）、ＲＯＭ（Read Only Memory）、ＲＡＭ（Random Access Memory）を備える。さらに、計算機は、不揮発性ストレージおよびネットワークインタフェースとを備える。
【００１９】
また制御部１０３における入出力制御部１０３ａは、ＲＯＭに記録されたプログラムとして構成されている。また画像データ修正部１０３ｂは、制御部１０３内のＣＰＵがＲＯＭに記憶されているプログラムを読出して実行することにより、各機能が実現される。
【００２０】
＜画像形成部１０４＞
画像形成部１０４は、接着性トナー画像形成ユニット１０４ｈと、有色トナー画像形成ユニット１０４ｙ，１０４ｍ，１０４ｃ，１０４ｋと、中間転写ベルト１０４ａとを備えている。
【００２１】
接着性トナー画像形成ユニット１０４ｈおよび有色トナー画像形成ユニット１０４ｙ，１０４ｍ，１０４ｃ，１０４ｋは、露光部による露光走査によって形成された静電潜像に各トナーを付着させてトナー画像を形成するものである。このうち、接着性トナー画像形成ユニット１０４ｈは、箔押し画像を形成するための箔の接着に用いる接着性のトナーによる接着性トナー画像を形成するものである。一方、有色トナー画像形成ユニット１０４ｙ，１０４ｍ，１０４ｃ，１０４ｋは、一例としてイエロー（Ｙ）、マゼンダ（Ｍ）、シアン（Ｃ）、ブラック（Ｋ）の各色の有色トナーによるトナー画像を形成するものである。なお、有色トナー画像形成ユニット１０４は、接着性トナー以外のトナーであれば、例えば比較散乱性トナーを用いたトナー画像を形成する構成であってもよい。ここでは、接着性トナー画像形成ユニット１０４ｈと区別するために、有色トナー画像形成ユニットと称する。
【００２２】
中間転写ベルト１０４ａは、回転する無端ベルトとして構成され、各画像形成ユニット１０４ｈ，１０４ｙ，１０４ｍ，１０４ｃ，１０４ｋに形成されたトナー画像が、その表面に転写される。また中間転写ベルト１０４ａに転写されたトナー画像は、用紙供給部１０６から供給された用紙に転写される。
【００２３】
＜定着部１０５＞
定着部１０５は、用紙をニップする一対のローラーで構成され、中間転写ベルト１０４ａからトナー画像が転写された用紙を加熱及び加圧する部分であり、これによってトナー画像を用紙に定着させる部分である。また定着部１０５は、トナー画像を定着させた用紙を箔押し部１０７に送り出す。
【００２４】
＜用紙供給部１０６＞
用紙供給部１０６は、大量の用紙を収容することが可能であり、収容した用紙を画像形成部１０４に対して順次に供給する部分である。用紙供給部１０６に収容される用紙は、箔押し画像およびトナー画像の画像支持体となる。
【００２５】
＜箔押し部１０７＞
箔押し部１０７は、箔シート供給ローラー１０７ａ、箔シート巻取ローラー１０７ｂ、および上下の転写ローラー１０７ｃ，１０７ｄを備えている。そして、箔シート供給ローラー１０７ａから巻き出されて箔シート巻取ローラー１０７ｂで巻き取られる箔シートと、定着部１０５から供給された用紙とを、下の転写ローラー１０７ｃ，１０７ｄ間にニップして加熱及び加圧する。これによって、用紙に形成された接着性トナー画像に対して箔を接着させ、用紙に箔押し画像を形成する。また箔押し部１０７は、箔押し画像が形成された用紙を、画像形成部１０４に再び送り返すこともできる。
【００２６】
さらに箔押し部１０７は、用紙に対して箔を接着させる必要のないとき、すなわち定着部１０５から有色トナーによるトナー画像が形成された用紙が供給された場合には、上下の転写ローラー１０７ｃ，１０７ｄを互いに離間した状態に変更させることができる。この場合、箔押し部１０７は、トナー画像が形成された用紙を、後処理部１０８に送り出す。
【００２７】
＜後処理部１０８＞
後処理部１０８は、箔押し画像および有色トナー画像の少なくとも一方の画像形成が完了して、箔押し部１０７から送り込まれた用紙の後処理を実施する。ここで実施する後処理とは、ステイプル、パンチ、折り等である。後処理部１０８は、後処理を完了した用紙または用紙の束を、排紙部１０８ａに排紙する。
【００２８】
≪第１実施形態≫
図３は、第１実施形態の画像形成装置の画像データ修正部において実施される修正箔押し画像データの作成手順を示すフローチャートである。また図４は、第１実施形態における修正箔押し画像データの作成を説明するための図である。さらに図５は、第１実施形態において作成される修正箔押し画像データの一例を示す図である。
【００２９】
第１実施形態の画像データ修正部１０３ｂは、箔押し画像を形成するためのオリジナルの箔押し画像データ［ｄｈ］を修正した修正箔押し画像データ［ｄｈ’］を、修正画像データとして作成する。ここで説明する修正箔押し画像データ［ｄｈ’］の作成手順は、箔押し画像を印刷した後、追い刷りによって箔押し画像に重ねて有色トナー画像を印刷するジョブの実施において、箔押し画像の印刷に先立って実施される。このような修正箔押し画像データ［ｄｈ’］の作成手順は、先に説明した画像データ修正部１０３ｂを構成するプログラムによって、以下のように実行される。
【００３０】
＜修正箔押し画像データ［ｄｈ’］の作成＞
以下においては、図３のフローチャートに基づき、図４に示すようにストライプ模様の箔押し画像に重ねてアラビア数字の４をデザインした有色トナー画像を追い刷りする場合を例示して、修正箔押し画像データ［ｄｈ’］の作成手順を説明する。
【００３１】
［ステップＳ１１］
先ず、ステップＳ１１において、画像データ修正部１０３ｂは、オリジナルの箔押し画像データ［ｄｈ］およびトナー画像データ［ｄｔ］において、それぞれの座標（ｘ，ｙ）＝（１，１）を指定する。ここで、オリジナルの箔押し画像データ［ｄｈ］およびトナー画像データ［ｄｔ］は、例えば画像読取部１０２から読み取られた画像データであるか、または画像形成装置１００に接続されたパーソナルコンピュータや他の外部装置から受信した画像データである。図４においては、左下の画素が印刷範囲における座標（ｘ，ｙ）＝（１，１）である場合を例示している。
【００３２】
［ステップＳ１２］
次にステップＳ１２において、画像データ修正部１０３ｂは、箔押し画像データ［ｄｈ］の座標（ｘ，ｙ）に印刷データがあり、かつトナー画像データ［ｄｔ］の座標（ｘ，ｙ）に印刷データがあるか否かを判断する。ここで、印刷データがあるとは、箔押し画像データ［ｄｈ］であれば、座標（ｘ，ｙ）に箔押しパターン［ｐｈ］が有ることを示す。またトナー画像データ［ｄｔ］であれば、座標（ｘ，ｙ）にトナーパターン［ｐｔ］が有ることを示す。
【００３３】
ステップＳ１２においては、箔押し画像データ［ｄｈ］の座標（ｘ，ｙ）およびトナー画像データ［ｄｔ］の座標（ｘ，ｙ）の両方に印刷データがある（ＹＥＳ）と判断された場合には、次のステップＳ１３に進む。これに対し、箔押し画像データ［ｄｈ］の座標（ｘ，ｙ）およびトナー画像データ［ｄｔ］の座標（ｘ，ｙ）の少なくとも一方には印刷データがない（ＮＯ）と判断された場合には、ステップＳ１４に進む。
【００３４】
［ステップＳ１３］
ステップＳ１３において、画像データ修正部１０３ｂは、箔押し画像データ［ｄｈ］の座標（ｘ，ｙ）に対応する印刷データを削除し、印刷データ無しとする。これにより、箔押し画像データ［ｄｈ］の座標（ｘ，ｙ）およびトナー画像データ［ｄｔ］の座標（ｘ，ｙ）の両方に印刷データがある場合には、トナー画像データ［ｄｔ］のみに印刷データが残され、トナーパターン［ｐｔ］のみが印刷されることになる。
【００３５】
［ステップＳ１４］
ステップＳ１４において、画像データ修正部１０３ｂは、箔押し画像データ［ｄｈ］およびトナー画像データ［ｄｔ］において、それぞれに指定されている座標ｘを、座標ｘ＝ｘ＋１とする処理を実施する。
【００３６】
［ステップＳ１５］
ステップＳ１５において、画像データ修正部１０３ｂは、ステップＳ１４で処理した座標ｘが最大値であるか否かを判断する。ここでは、座標ｘが、図面における右端の位置となっていれば印刷範囲におけるｘ方向の最大値であると判断される。そして、座標ｘが最大値である（ＹＥＳ）と判断されるまで、ステップＳ１２〜ステップＳ１５を繰り返し、最大値である（ＹＥＳ）と判断された場合に次のステップＳ１６に進む。
【００３７】
［ステップＳ１６］
ステップＳ１６において、画像データ修正部１０３ｂは、箔押し画像データ［ｄｈ］およびトナー画像データ［ｄｔ］の座標ｘを座標ｘ＝１に戻し、座標ｙを座標ｙ＝ｙ＋１とする処理を実施する。
【００３８】
［ステップＳ１７］
ステップＳ１７において、画像データ修正部１０３ｂは、座標ｙが最大値＋１であるか否かを判断する。ここでは、座標ｙが、印刷範囲の上端であり図面における上端の位置を越えた場合に、座標ｙが最大値＋１であると判断される。そして、座標ｙが最大値＋１である（ＹＥＳ）と判断されるまで、ステップＳ１２〜ステップＳ１７を繰り返し、最大値＋１である（ＹＥＳ）と判断された場合に処理を終了させる。
【００３９】
＜修正箔押し画像データ［ｄｈ’］＞
以上のようなステップＳ１１〜ステップＳ１７の作成手順により、図５に示すような修正箔押し画像データ［ｄｈ’］が得られる。この修正箔押し画像データ［ｄｈ’］は、図４に示したオリジナルの箔押し画像データ［ｄｈ］の箔押しパターン［ｐｈ］に対して、オリジナルのトナー画像データ［ｄｔ］のトナーパターン［ｐｔ］が重なる部分を間引いた修正箔押しパターン［ｐｈ’］によって構成された画像データとなる。
【００４０】
＜画像の形成＞
次に、画像形成装置１００による画像の形成を説明する。画像形成装置１００においては、画像読取部１０２または外部から箔押し画像データ［ｄｈ］およびトナー画像データ［ｄｔ］が入力され、また操作部１０１において箔押し画像に対して有色トナー画像を追い刷り印刷するジョブの設定が入力された場合、制御部１０３での制御により次の手順で画像形成がなされる。
【００４１】
先ず、入出力制御部１０３ａは、記憶部１０３ｃに対して、入力されたオリジナルの箔押し画像データ［ｄｈ］およびトナー画像データ［ｄｔ］を記憶させる。また、画像データ修正部１０３ｂに対して、オリジナルの箔押し画像データ［ｄｈ］を修正した修正箔押し画像データ［ｄｈ’］の作成を指示する。これにより、画像データ修正部１０３ｂは、オリジナルの箔押し画像データ［ｄｈ］およびトナー画像データ［ｄｔ］に基づいて、ステップＳ１１〜ステップＳ１７の作成手順により修正箔押し画像データ［ｄｈ’］を作成する。
【００４２】
次に、入出力制御部１０３ａは、画像データ修正部１０３ｂで作成した修正箔押し画像データ［ｄｈ’］を記憶部１０３ｃに記憶させる。
【００４３】
その後、入出力制御部１０３ａは、画像形成部１０４の接着性トナー画像形成ユニット１０４ｈに対して、記憶部１０３ｃに記憶された修正箔押し画像データ［ｄｈ’］に基づく接着性トナー画像の形成を指示する。また用紙供給部１０６に対して、給紙要求を通知する。
【００４４】
以降は、通常と同様に箔押し画像の形成と、その後の追い刷りによる有色トナー画像の形成とを実施する。この際、有色トナー画像を形成するための追い刷り印刷は、記憶部１０３ｃに記憶されたオリジナルのトナー画像データ［ｄｔ］を用いて実施する。
【００４５】
以上により、図６に示すように、箔押し印刷によって形成された修正箔押しパターン［ｐｈ’］と、その後の追い刷りによって形成されたアラビア数字の４をデザインしたトナーパターン［ｐｔ］とからなる印刷画像［Ｇ］が得られる。
【００４６】
＜第１実施形態の効果＞
以上説明した第１実施形態の画像形成装置によれば、箔押し印刷とその後の追い刷り印刷とによって得られる印刷画像［Ｇ］において、トナーパターン［ｐｔ］が印刷される位置には、修正箔押しパターン［ｐｈ’］が印刷されることはない。したがって、箔押し印刷後に追い刷りを行う画像形成の実施において、修正箔押しパターン［ｐｈ’］を形成するための箔および接着性トナーの使用量を抑えることが可能である。また箔押しパターン［ｐｈ’］に対してトナーパターン［ｐｔ］が重なることがないため、トナーパターン［ｐｔ］の全領域にわたって有色トナー本来の色を生かしたトナー画像を得ることが可能になる。これにより、例えば箔押し画像が金属光沢を有するものである場合であっても、金属光沢を消すための光散乱性トナー画像の形成を行うことなく、トナー画像の金属光沢を抑えることが可能である。
【００４７】
≪第２実施形態（修正箔押し画像データの変形例）≫
図７は、第２実施形態の画像形成装置の画像データ修正部において実施される修正箔押し画像データの作成手順を示すフローチャートである。また図８は第２実施形態において作成される修正箔押し画像データの一例を示す図であり、図９は第２実施形態において作成される修正トナー画像データの一例を示す図である。
【００４８】
ここで説明する第２実施形態の画像データ修正部は、修正画像データとして、オリジナルの箔押し画像データ［ｄｈ］を修正した修正箔押し画像データ［ｄｈ”］を作成する。図８に示すように、ここで作成される修正箔押し画像データ［ｄｈ”］が、図５を用いて説明した第１実施形成の修正箔押し画像データ［ｄｈ’］と異なるところは、箔押し印刷に対する追い刷り印刷の位置合わせのマージンＷを考慮したデータ保持領域［Ａ］を有するところにある。
【００４９】
また第２実施形態の画像データ修正部は、修正画像データとして、オリジナルのトナー画像データ［ｄｔ］を修正した修正トナー画像データ［ｄｔ”］を作成する。図９に示すよう、ここで作成される修正トナー画像データ［ｄｔ”］は、図４に示したオリジナルのトナー画像データ［ｄｔ］におけるトナーパターン［ｐｔ］に対して、箔押し印刷に対する追い刷り印刷の位置合わせのマージンＷを考慮した色補正領域［Ｂ］を設けたトナーパターン［ｐｔ”］によって構成される。
【００５０】
このような修正箔押し画像データ［ｄｈ”］および修正トナー画像データ［ｄｔ”］の作成手順は、図７のフローチャートに示す通りであり、先の第１実施形態において図３を用いて説明した手順におけるステップＳ１２とステップＳ１３との間に、次のような追加のステップＳ１２'を実施する。また、ステップ１２’とステップＳ１４との間に次のような追加のステップＳ１３’を実施する。
【００５１】
［ステップＳ１２’］
ステップＳ１２’において、画像データ修正部１０３ｂは、座標（ｘ，ｙ）がデータ保持領域［Ａ］であるか否かを判断する。そしてデータ保持領域［Ａ］である（ＹＥＳ）と判断した場合にはステップＳ１３’に進み、データ保持領域［Ａ］ではない（ＮＯ）と判断した場合にはステップＳ１３に進む構成とする。
【００５２】
ここで、ステップＳ１２’においてのデータ保持領域［Ａ］とは、箔押し画像データ［ｄｈ］におけるデータ保持領域［Ａ］である。データ保持領域［Ａ］であるか否かの判断は、予め設定された箔押し印刷に対する追い刷り印刷の位置合わせのマージンＷにしたがって実施される。データ保持領域［Ａ］は、修正箔押し画像データ［ｄｈ”］に基づいて形成された箔押し画像に対して、トナー画像データ［ｄｔ］に基づいて形成された有色トナー画像がマージンＷだけ位置ズレした場合に、印刷の抜けがない範囲が設定される。
【００５３】
［ステップＳ１３’］
ステップＳ１３’において、画像データ修正部１０３ｂは、トナー画像データ［ｄｔ］の座標（ｘ，ｙ）に対応する印刷データを色補正する。ここでは、トナー画像データ［ｄｔ］において、箔押し画像データ［ｄｈ］のデータ保持領域［Ａ］に対応する部分を色補正領域［Ｂ］として印刷データを色補正する。この色補正は、トナー画像データ［ｄｔ］の座標（ｘ，ｙ）のトナーパターン［ｐｔ］が箔押しパターン［ｐｈ］と重なった場合の視覚的な色変化を考慮し、座標（ｘ，ｙ）における有色トナー本来の色に近くなるように実施する。
【００５４】
そしてステップＳ１３’の終了の後には、ステップＳ１４に進む。これにより、ステップＳ１２において箔押し画像データ［ｄｈ］の座標（ｘ，ｙ）に印刷データがあり、かつトナー画像データ［ｄｔ］の座標（ｘ，ｙ）に印刷データが有ると判断された場合であっても、ステップＳ１２’においてデータ保持領域［Ａ］と判断された領域では、箔押し画像データ［ｄｈ］における座標（ｘ，ｙ）の印刷データが保持されることになる。
【００５５】
＜第２実施形態の効果＞
以上説明した第２実施形態の画像形成装置によれば、箔押し印刷とその後の追い刷り印刷とによって得られる印刷画像［Ｇ］において、修正箔押し画像データ［ｄｈ”］に基づいて実施される箔押し印刷に対して追い刷り印刷に位置ズレが生じた場合であっても、印刷の抜けを防止しつつ、修正箔押しパターン［ｐｈ”］およびこれを形成するための接着性トナーの使用を抑えることが可能である。またさらに、修正箔押し画像データ［ｄｈ”］に基づいて実施された修正箔押しパターン［ｐｈ”］に対して修正トナーパターン［ｐｔ”］が重なる位置は、色補正領域［Ｂ］として色補正されるため、修正トナーパターン［ｐｔ”］のほぼ全領域にわたって有色トナー本来の色を生かしたトナー画像を得ることが可能になる。
【００５６】
≪第３実施形態（連続画像形成）≫
図１０は、第３実施形態の画像形成装置において実施される連続画像形成の手順を示すフローチャートである。また図１１は、第３実施形態における連続画像形成を説明するための図である。これらの図を用いて説明する第３実施形態の画像形成装置１００は、複数枚の用紙に対し、箔押し画像を印刷した後、さらに追い刷りによって各種のトナー画像を印刷するジョブを連続して実施する。ここで説明する連続画像形成の手順は、先に説明した入出力制御部１０３ａを構成するプログラムによって、以下のように実行される。
【００５７】
＜連続画像形成の手順＞
以下においては図１０のフローチャートに基づき、図１１に示すように、全ｎ頁（ｎ＝９）に共通のストライプ模様の箔押し画像に重ねて、アラビア数字の１〜９をデザインした各頁の有色トナー画像を連続して追い刷り印刷する場合を例示して、連続画像形成の手順を説明する。
【００５８】
［ステップＳ１０１］
先ずステップＳ１０１において、入出力制御部１０３ａは、操作部１０１からの選択によって入力されたジョブモードが、オリジナルの箔押し画像データ［ｄｈ］を修正するモードであるか否かを判断する。そして、修正するモードである（ＹＥＳ）と判断した場合には、次のステップＳ１０２に進む。一方、修正するモードではない（ＮＯ）と判断した場合には、処理を終了させる。これにより、画像形成装置のユーザーは、箔押し画像データを修正するモードでの印刷を実施するか否かを選択することが可能である。
【００５９】
［ステップＳ１０２］
ステップＳ１０２において、入出力制御部１０３ａは、箔押し画像データ［ｄｈ］の取得処理を実施する。この際、入出力制御部１０３ａは、画像読取部１０２または画像形成装置１００に接続されたパーソナルコンピュータや他の外部装置から、箔押し画像データ［ｄｈ］として入力された画像データを取得し、記憶部１０３ｃに記憶させる。ここでは一例として、図１１Ａに示すように、オリジナルの箔押し画像データ［ｄｈ］として、ストライプ模様の画像に対応する画像データが取得されたこととする。なお、このような箔押し画像データ［ｄｈ］の取得は、予め記憶部１０３ｃに記憶された複数種類の箔押し画像データ［ｄｈ］のなかから、今回のジョブで用いる箔押し画像データ［ｄｈ］を選択することで実施してもよい。
【００６０】
［ステップＳ１０３］
ステップＳ１０３において、入出力制御部１０３ａは、全ｎ頁のトナー画像データ［ｄｔＮ］（Ｎ＝１〜ｎ）の取得処理を実施する。この際、入出力制御部１０３ａは、画像読取部１０２または画像形成装置１００に接続されたパーソナルコンピュータや他の外部装置から、トナー画像データ［ｄｔＮ］として入力された全ｎ頁の画像データを取得し、頁番号Ｎと関連付けて記憶部１０３ｃに記憶させる。ここでは一例として、図１１Ｂに示すように、オリジナルのトナー画像データ［ｄｔ１］〜［ｄｔ９］として、アラビア数字の１〜９を表す画像に対応する画像データが取得されたこととする。
【００６１】
なお、このようなトナー画像データ［ｄｔＮ］は、画像読取部１０２または画像形成装置１００に接続されたパーソナルコンピュータや他の外部装置から、トナー画像データ［ｄｔＮ］として入力されたものの他、設定によってスタンプ形式で追加されたトナー画像を含んでもよい。
【００６２】
［ステップＳ１０４］
ステップＳ１０４において、入出力制御部１０３ａは、頁番号Ｎ＝１の処理を実施する。
【００６３】
［ステップＳ１０５］
ステップＳ１０５において、入出力制御部１０３ａは、画像データ修正部１０３ｂに対して、Ｎ頁目の修正箔押し画像データ［ｄｈＮ’］の作成を指示する。これにより、画像データ修正部１０３ｂは、記憶部１０３ｃに頁番号Ｎに関連付けて記憶されたトナー画像データ［ｄｔＮ］に基づいて、記憶部１０３ｃに記憶されたオリジナルの箔押し画像データ［ｄｈ］の修正箔押し画像データ［ｄｈＮ’］を作成する。ここでは、先の第１実施形態において図３のフローチャートを用いて説明した手順にしたがって、Ｎ頁目の修正箔押し画像データ［ｄｈＮ’］を作成する。ここでは一例として、図１１Ｃに示すような、修正箔押し画像データ［ｄｈＮ’］が作成される。
【００６４】
［ステップＳ１０６］
ステップＳ１０６において、入出力制御部１０３ａは、ステップＳ１０５で作成した修正箔押し画像データ［ｄｈＮ’］を、頁番号Ｎに関連付けて記憶部１０３ｃに記憶させる。
【００６５】
［ステップＳ１０７］
ステップＳ１０７において、入出力制御部１０３ａは、頁番号Ｎ＝ｎか否かを判断する。そして、頁番号Ｎ＝ｎではない（ＮＯ）と判断した場合にはステップＳ１０８に進み、頁番号Ｎ＝ｎである（ＹＥＳ）と判断した場合にはステップＳ１０９に進む。
【００６６】
［ステップＳ１０８］
ステップＳ１０８において、入出力制御部１０３ａは、頁番号Ｎ＝Ｎ＋１の処理を実施する。そしてステップＳ１０５に戻り、ステップＳ１０７において頁番号Ｎ＝ｎである（ＹＥＳ）と判断されるまで、次頁の修正箔押し画像データ［ｄｈＮ’］の作成を繰り返し実施する。これにより、図１１Ｃに示すような、修正箔押し画像データ［ｄｈ１’］〜［ｄｈ９’］が作成される。
【００６７】
［ステップＳ１０９］
一方、ステップＳ１０９において、入出力制御部１０３ａは、全ｎ頁のトナー画像データ［ｄｔＮ］に対応して作成された修正箔押し画像データ［ｄｈＮ’］を、操作部１０１の表示パネルに表示させる。
【００６８】
［ステップＳ１１０］
ステップＳ１１０において、入出力制御部１０３ａは、操作部１０１から修正モードでの画像形成が選択されたか否かを判断する。そして、修正モードである（ＹＥＳ）と判断した場合には、次のステップＳ１１１に進む。一方、修正モードではない（ＮＯ）と判断した場合には、処理を終了させる。これにより、画像形成装置のユーザーは、ステップＳ１０９で表示された修正箔押し画像データ［ｄｈＮ’］を確認して、この修正箔押し画像データ［ｄｈＮ’］を用いた画像形成を実施するか否かを選択することが可能である。
【００６９】
［ステップＳ１１１］
ステップＳ１１１において、入出力制御部１０３ａは、用紙供給部１０６に対して給紙要求通知を出力する。そして、画像形成部１０４およびその他の構成要素に対し、修正箔押し画像データ［ｄｈＮ’］を用いた全ｎ頁の箔押し画像の形成と、それに続けて全ｎ頁のトナー画像データ［ｄｔＮ］を用いた追い刷りによる有色トナー画像の形成とを指示して画像形成を実施する。これにより、図１１Ｄに示すように、修正箔押し画像データ［ｄｈＮ’］とトナー画像データ［ｄｔＮ］とに基づく全ｎ頁の印刷画像［ＧＮ］（Ｎ＝１〜ｎ）が得られる。
【００７０】
＜第３実施形態の効果＞
以上説明した第３実施形態の画像形成装置によれば、全ｎ頁のトナー画像データ［ｄｔＮ］を取得し、これに基づいて作成された全ｎ頁の修正箔押し画像データ［ｄｈＮ’］が揃うことで、画像データがジョブ結合された後に、給紙要求がなされて画像形成処理が実施される構成である。これにより、箔押し印刷後に追い刷りを行う画像形成の実施において、修正箔押しパターン［ｐｈ’］を形成するための箔および接着性トナーの使用量を抑えることが可能でかつトナーパターン［ｐｔ］の全領域にわたって有色トナー本来の色を生かしたトナー画像を得ることが可能な画像形成を、連続して実施することが可能である。
【００７１】
なお上述した第３実施形態では、ステップＳ１０５の修正箔押し画像データ［ｄｈＮ’］の作成を、先の第１実施形態において図３のフローチャートを用いて説明した手順にしたがって実施することとした。しかしながら、第３実施形態のステップＳ１０５は、先の第２実施形態において図７のフローチャートを用いて説明した手順にしたがって、Ｎ頁目の修正箔押し画像データ［ｄｈＮ”］および修正トナー画像データ［ｄｔＮ”］を作成してもよい。この場合、ステップＳ１０５よりも前に、修正データの種類を選択するステップを設けてもよい。
【００７２】
≪第４実施形態（ジャムのリカバリーの第１例）≫
図１２は、第４実施形態の画像形成装置において実施される連続画像形成の手順を示すフローチャートである。また図１３は、第４実施形態における連続画像形成を説明するための図である。これらの図を用いて説明する第４実施形態の画像形成装置１００は、図１０を用いて説明した第３実施形態のステップＳ１１１において給紙要求通知の出力がなされ、箔押し印刷の実施に次いで、追い刷り印刷を実施する際に、ジャムが発生した場合のリカバリーを実施する。ここでジャムとは、紙づまりのような画像形成装置１００におけるトラブルの発生であり、以下同様である。ここで説明するリカバリーの手順は、先に説明した入出力制御部１０３ａを構成するプログラムによって、以下のように実行される。
【００７３】
［ステップＳ２０１］
ステップＳ２０１において、入出力制御部１０３ａは、画像形成部１０４、定着部１０５、および箔押し部１０７に対して、全ｎ頁の箔押し印刷の実施を指示する。ここでは図１３Ｃ−１に示すように、記憶部１０３ｃに対して、頁番号と関連付けて記憶された修正箔押し画像データ［ｄｈＮ’］に基づいて、頁番号順に全ｎ頁（ｎ＝９頁）の箔押し印刷を実施する。
【００７４】
［ステップＳ２０２］
ステップＳ２０２において、入出力制御部１０３ａは、頁番号Ｎ＝１の処理を実施する。
【００７５】
［ステップＳ２０３］
ステップＳ２０３において、入出力制御部１０３ａは、画像形成部１０４、および定着部１０５に対して、Ｎ頁目の追い刷り印刷の実施を指示する。ここでは、記憶部１０３ｃに対して、頁番号と関連付けて記憶されたトナー画像データ［ｄｔＮ］に基づいて、Ｎ頁目の追い刷り印刷を実施する。これにより、図１１Ｄ−１に示すように、修正箔押し画像データ［ｄｈＮ’］とトナー画像データ［ｄｔＮ］とを用いた印刷画像［ＧＮ］が得られる。
【００７６】
［ステップＳ２０４］
ステップＳ２０４において、入出力制御部１０３ａは、Ｎ頁目の追い刷り印刷においてジャムが発生したか否かを判断する。そしてジャムが発生した（ＹＥＳ）と判断した場合には、ステップＳ２０５に進み、ジャムが発生していない（ＮＯ）と判断した場合には、ステップＳ２０６に進む。
【００７７】
［ステップＳ２０５］
ステップＳ２０５において、入出力制御部１０３ａは、ジャムが発生した頁番号を取得し、ステップＳ２０６に進む。
【００７８】
［ステップＳ２０６］
ステップＳ２０６において、入出力制御部１０３ａは、頁番号Ｎ＝ｎか否かを判断する。そして、頁番号Ｎ＝ｎではない（ＮＯ）と判断した場合にはステップＳ２０７に進み、頁番号Ｎ＝ｎである（ＹＥＳ）と判断した場合にはステップＳ２０８に進む。
【００７９】
［ステップＳ２０７］
ステップＳ２０７において、入出力制御部１０３ａは、頁番号Ｎ＝Ｎ＋１の処理を実施する。そしてステップＳ２０３に戻り、ステップＳ２０６において頁番号Ｎ＝ｎである（ＹＥＳ）と判断されるまで、次頁の追い刷り印刷を繰り返し実施する。これにより、図１３Ｄ−１に示すような、印刷画像［Ｇ１］〜［Ｇ９］が作成される。
【００８０】
［ステップＳ２０８］
ステップＳ２０８において、入出力制御部１０３ａは、直前のステップＳ２０５で頁番号の取得があったか否かを判断する。そして、頁番号の取得があった（ＹＥＳ）と判断した場合にはステップＳ２０９に進み、頁番号の取得がなかった（ＮＯ）と判断した場合には処理を終了させる。
【００８１】
［ステップＳ２０９］
ステップＳ２０９において、入出力制御部１０３ａは、ステップＳ２０５で取得した全頁ｍを新たに全ｍ＝ｎ頁とし、新たな頁番号Ｎを再付与し、再付与した頁番号を記憶部１０３ｃに記憶させてステップＳ２０１に戻る。ここでは、例えば図１３Ｄ−１に示すように、Ｎ＝２頁目およびＮ＝4頁目の追い刷り印刷でジャムが発生した場合、これらの全ｍ＝ｎ＝２頁に対して頁番号順に新たにＮ＝１，２を付与する。そして、新たに付与した頁番号Ｎ＝１から順に、ステップＳ２０１における全ｍ＝ｎ頁の箔押し印刷を実施し、図１３Ｃ−２に示すように、全ｍ＝ｎ＝２頁の修正箔押し画像データ［ｄｈ１’］〜［ｄｈ２’］の箔押し印刷を実施する。またその後のステップＳ２０２以降の追い刷り印刷とを実施し、ステップＳ２０８で頁番号の取得がなかった（ＮＯ）と判断されるまで、ステップＳ２０１〜Ｓ２０９を繰り返し実施する。これにより、図１３Ｄ−２に示すように、全ｍ＝ｎ＝２頁の印刷画像［Ｇ１］〜［Ｇ２］が作成される。
【００８２】
＜第４実施形態の効果＞
以上説明した第４実施形態の画像形成装置によれば、修正箔押しパターン［ｐｈ’］を形成するための箔および接着性トナーの使用量を抑えることが可能でかつトナーパターン［ｐｔ］の全領域にわたって有色トナー本来の色を生かした画像を得ることが可能な画像形成を、連続して実施することが可能な第１実施形態または第２実施形態の構成を適用するにあたり、追い刷り印刷においてジャムが発生した場合であっても、これをリカバリーすることが可能になる。
【００８３】
≪第５実施形態（ジャムのリカバリーの第２例）≫
図１４は、第５実施形態の画像形成装置において実施される連続画像形成の手順を示すフローチャートである。また図１５は、第５実施形態における連続画像形成を説明するための図である。これらの図を用いて説明する第５実施形態の画像形成装置１００は、図１０を用いて説明した第３実施形態のステップＳ１１１において給紙要求通知の出力がなされ、これにより箔押し印刷を実施する際にジャムが発生した場合のリカバリーを実施する。ここで説明するリカバリーの手順は、先に説明した入出力制御部１０３ａを構成するプログラムによって、以下のように実行される。
【００８４】
［ステップＳ３０１］
ステップＳ３０１において、入出力制御部１０３ａは、頁番号Ｎ＝１の処理を実施する。
【００８５】
［ステップＳ３０２］
ステップＳ３０２において、入出力制御部１０３ａは、画像形成部１０４、定着部１０５、および箔押し部１０７に対して、Ｎ頁目の箔押し印刷の実施を指示する。ここでは記憶部１０３ｃに対して、頁番号と関連付けて記憶された修正箔押し画像データ［ｄｈＮ’］に基づいて、Ｎ頁目の箔押し印刷を実施する。
【００８６】
［ステップＳ３０３］
ステップＳ３０３において、入出力制御部１０３ａは、Ｎ頁目の箔押し印刷においてジャムが発生したか否かを判断する。そしてジャムが発生した（ＹＥＳ）と判断した場合には、ステップＳ３０４に進み、ジャムが発生していない（ＮＯ）と判断した場合には、ステップＳ３０５に進む。
【００８７】
［ステップＳ３０４］
ステップＳ３０４において、入出力制御部１０３ａは、ジャムが発生した頁番号を取得し、ステップＳ３０５に進む。
【００８８】
［ステップＳ３０５］
ステップＳ３０５において、入出力制御部１０３ａは、頁番号Ｎ＝ｎか否かを判断する。そして、頁番号Ｎ＝ｎではない（ＮＯ）と判断した場合にはステップＳ３０６に進み、頁番号Ｎ＝ｎである（ＹＥＳ）と判断した場合にはステップＳ３０７に進む。
【００８９】
［ステップＳ３０６］
ステップＳ３０６において、入出力制御部１０３ａは、頁番号Ｎ＝Ｎ＋１の処理を実施する。そしてステップＳ３０２に戻り、ステップＳ３０５において頁番号Ｎ＝ｎである（ＹＥＳ）と判断されるまで、次頁の箔押し印刷を繰り返し実施する。これにより、図１５Ｃ−１に示すような修正箔押し画像データ［ｄｈ１’］〜［ｄｈ９’］に基づく箔押し印刷が実施される。
【００９０】
［ステップＳ３０７］
ステップＳ３０７において、入出力制御部１０３ａは、直前のステップＳ３０４で頁番号の取得があったか否かを判断する。そして、頁番号の取得があった（ＹＥＳ）と判断した場合にはステップＳ３０８に進み、頁番号の取得がなかった（ＮＯ）と判断した場合にはステップ３０９に進む。
【００９１】
［ステップＳ３０８］
ステップＳ３０８において、入出力制御部１０３ａは、ステップＳ３０４で取得した全頁ｍを新たに全ｍ＝ｎ頁とし、新たな頁番号Ｎを再付与し、再付与した頁番号を記憶部１０３ｃに記憶させてステップＳ３０１に戻る。ここでは、例えば図１５Ｃ−１に示すように、Ｎ＝２頁目およびＮ＝4頁目の箔押し印刷でジャムが発生した場合、これらの全ｍ＝ｎ＝２頁に対して頁番号順に新たにＮ＝１，２を付与する。そして、新たに付与した頁番号Ｎ＝１から順に、ステップＳ３０２におけるＮ頁目の箔押し印刷を実施し、ステップＳ３０７で頁番号の取得がなかった（ＮＯ）と判断されるまで、ステップＳ３０１〜Ｓ３０８を繰り返し実施する。これにより、図１５Ｃ−２に示すように、全ｍ＝ｎ＝２頁の修正箔押し画像データ［ｄｈ１’］〜［ｄｈ２’］に基づく箔押し印刷が実施される。
【００９２】
［ステップＳ３０９］
ステップＳ３０９において、入出力制御部１０３ａは、ステップＳ３０８において、頁番号の再付与がなされたか否かを判断する。ここでは、処理の開始から現在に至るまでの間についての判断がなされる。そして再付与がなされた（ＹＥＳ）と判断された場合には、ステップＳ３１０に進み、再付与はなされていない（ＮＯ）と判断された場合には、ステップＳ３１１に進む。
【００９３】
［ステップＳ３１０］
次のステップＳ３１０において、入出力制御部１０３ａは、頁番号の再編成を実施する。ここでは、先ず、ステップＳ３０２でジャムが発生していない頁に対し、最も小さい頁番号から順に、新たな頁番号を付与する。次いで、ジャムが発生した頁に対し、ジャムが発生した順に、次の頁番号から順に頁番号を付与する。これにより、図１５Ｃ−１および図１５Ｃ−２の各最下段に示すように、頁番号Ｎ＝１から順に再編成された新たな頁番号が付与される。再編成された頁番号は、記憶部１０３ｃに記憶される。
【００９４】
［ステップＳ３１１］
ステップＳ３１１において、入出力制御部１０３ａは、画像形成部１０４、および定着部１０５に対して、全ｎ頁の追い刷り印刷の実施を指示する。ここでは、記憶部１０３ｃに対して、頁番号と関連付けて記憶されたトナー画像データ［ｄｔＮ］に基づいて、頁番号順に全ｎ頁（ｎ＝９頁）の追い刷り印刷を実施する。この際、ステップＳ３１０で頁番号の再編成がなされた場合であれば、再編成された頁番号順のトナー画像データに基づく追い刷り印刷が実施される。これにより、図１５Ｄに示すように、修正箔押し画像データ［ｄｈＮ’］とトナー画像データ［ｄｔＮ］とを用いた印刷画像［Ｇ１］〜［Ｇ９］が得られる。
【００９５】
＜第５実施形態の効果＞
以上説明した第５実施形態の画像形成装置によれば、修正箔押しパターン［ｐｈ’］を形成するための箔および接着性トナーの使用量を抑えることが可能でかつトナーパターン［ｐｔ］の全領域にわたって有色トナー本来の色を生かした画像を得ることが可能な画像形成を、連続して実施することが可能な第１実施形態または第２実施形態の構成を適用するにあたり、箔押し印刷においてジャムが発生した場合であっても、これをリカバリーすることが可能になる。
【００９６】
なお、本第５実施形態は、第４実施形態と組み合わせることで、追い刷り印刷においてジャムが発生した場合のリカバリーも可能になる。この場合、図１２に示したステップＳ２０１を、図１４に示したステップＳ３０１〜ステップＳ３１０に置き換えればよい。
【符号の説明】
【００９７】
１００…画像形成装置
１０３…制御部
１０３ａ…入出力制御部
１０３ｃ…画像データ修正部
１０４…画像形成部
１０７…箔押し部
［Ａ］…データ保持領域
［Ｂ］…色補正領域
［ｄｈ’］，［ｄｈ”］，［ｄｈ１’］〜［ｄｈ９’］…修正箔押し画像データ
［ｄｔ”］…修正トナー画像データ
【図１】
2018030316.tif 000003
【図２】
2018030316.tif 000004
【図３】
2018030316.tif 000005
【図４】
2018030316.tif 000006
【図５】
2018030316.tif 000007
【図６】
2018030316.tif 000008
【図７】
2018030316.tif 000009
【図８】
2018030316.tif 000010
【図９】
2018030316.tif 000011
【図１０】
2018030316.tif 000012
【図１１】
2018030316.tif 000013
【図１２】
2018030316.tif 000014
【図１３】
2018030316.tif 000015
【図１４】
2018030316.tif 000016
【図１５】
2018030316.tif 000017